(57)【要約】      （修正有）【課題】ディスクトレーを兼ねる下蓋と、下蓋にヒンジ部を介して開閉可能に結合された透明な上蓋とからなり、上蓋の裏面にインデックスカードストッパとしての突条を備えた薄型のディスク収納ケースに対して、背ラベル部を備えたインデックスカードの装着を可能にするディスク収納ケースを提供する。【解決手段】上蓋１１の内側に装着される主ラベル部３０ａと、主ラベル部３０ａの一端から背板１３の内面に沿ってほぼ直角に折り曲げられる背ラベル部３０ｃとを備えたインデックスカード３０の主ラベル部３０ａの背ラベル部３０ｃに近接した部位に、突条１７に対応する凹条Ｇを形成する。【選択図】図２
2006248603.tif 000002
【特許請求の範囲】
【請求項１】
ディスクトレーを兼ねる下蓋と、開閉軸線に沿った背板と該背板に直交する両側板とを備えて前記下蓋にヒンジ部を介して開閉可能に結合された透明な上蓋とからなり、該上蓋の主板部の内面に、前記背板にほぼ平行なインデックスカードストッパとしての突条を前記背板に近接して備えてなる扁平なディスク収納ケースのためのインデックスカードであって、
前記上蓋の両側板の間に両側縁を着脱可能に保持される態様で該上蓋の内側に装着される主ラベル部と、該主ラベル部の一端から前記背板の内面に沿ってほぼ直角に折り曲げられる背ラベル部とを備え、前記主ラベル部の前記背ラベル部に近接した部位に、前記突条に対応する凹条を備えてなることを特徴とするインデックスカード。
【請求項２】
前記ディスク収納ケースのヒンジ部が、前記上蓋の両側板の内面を含む面よりも開閉軸線方向内方に突出してなり、前記背ラベル部の両側縁および前記主ラベル部の両側縁の背ラベル部側の端部に、前記突出したヒンジ部に対応する切込みを備えてなることを特徴とする請求項１記載のインデックスカード。
【請求項３】
前記切込みが前記突条の両端位置まで延びていることを特徴とする請求項２記載のインデックスカード。
【請求項４】
ディスクトレーを兼ねる下蓋と、開閉軸線に沿った背板と該背板に直交する両側板とを備えて前記下蓋にヒンジ部を介して開閉可能に結合された透明な上蓋とからなり、前記ヒンジ部が、前記上蓋の両側板の内面を含む面よりも開閉軸線方向内方に突出してなる扁平なディスク収納ケースのためのインデックスカードであって、
前記上蓋の両側板の間に両側縁を着脱可能保持される態様で該上蓋の内側に装着される主ラベル部と、該主ラベル部の一端から前記背板の内面に沿ってほぼ直角に折り曲げられる背ラベル部とを備え、前記背ラベル部の両側縁および前記主ラベル部の両側縁の背ラベル部側の端部に、前記突出したヒンジ部に対応する切込みを備えてなることを特徴とするインデックスカード。
【請求項５】
前記ディスク収納ケースが、前記上蓋の両側板の内面に、インデックスカードストッパとしての突起を備え、前記切込みが前記突起に対応する位置まで延びていることを特徴とする請求項４記載のインデックスカード。
【請求項６】
請求項１から５のいずれか１項記載のインデックスカードを備えてなることを特徴とするディスク収納ケース。
【発明の詳細な説明】
【技術分野】
【０００１】
本発明は、ＣＤ，ＤＶＤ等の光ディスクを収納するディスク収納ケースのためのインデックスカードおよびディスク収納ケースに関するものである。
【背景技術】
【０００２】
従来、光ディスクを収納するディスク収納ケースとしては、ディスクトレーと、このディスクトレーを着脱可能に収容固定したプラスチック材料からなる下蓋と、この下蓋に開閉可能に軸支されたプラスチック材料からなる上蓋との３部品で構成された厚さ１０ｍｍのものが多用されている。
【０００３】
しかしながら、このような構成を有するケースは、ディスク自体の厚さ１．２ｍｍに対して十分な余裕があり、収納時に嵩張るという問題があるため、２部品で構成された厚さ４〜７ｍｍの薄型ケースや、紙とプラスチックとで構成された１部品からなる薄型ケース等が提案されている。
【０００４】
図８は、２部品で構成された従来の薄型ディスク収納ケースにおける上蓋を開いた状態の斜視図、図９は、上蓋の主板部の内面にインデックスカードを装着した状態で示す、図８のケースの平面図である。
【０００５】
このケース２０は、内面の中央部にディスククランパ２を備えてディスクトレーを兼ねる下蓋１と、この下蓋１に開閉可能に（回転軸線Ｌ）ヒンジ結合された透明な上蓋１１とからなり、下蓋１は、軸線Ｌ側の端部においてこの軸線Ｌに沿って延びる端壁３と、この端壁３に直交する両側板４，４とを備えており、上蓋１１は、主板部１２の軸線Ｌ側の端部においてこの軸線Ｌに沿って延びる背板１３と、この背板１３に直交する両側板１４，１４とを備えている。
【０００６】
下蓋１と上蓋１１とのヒンジ部は、両側板４，４の軸線Ｌ側の端部からそれらの延長方向に突出しかつ内面に短い軸を突設した下蓋１側のヒンジアーム５，５と、上記軸に嵌合する軸孔をそれぞれ備えてヒンジアーム５，５の内側に取り付けられる上蓋１１側の取付けリブ１５，１５とによって構成され、背板１３の両端に形成されている取付けリブ１５，１５は、その厚みの分だけ両側板１４，１４の内面を含む面よりも軸線Ｌ方向内方に突出する態様で、背板１３の内面から両側板１４，１４側に距離Ｄ１だけ延びている。なお、取付けリブ１５，１５がヒンジアーム５，５の外側となるディスク収納ケースも知られている。
【０００７】
上蓋１１の両側板１４，１４の内側には、上蓋１１の主板部１２の内面にインデックスカード３５を保持するための複数の保持突起１６が突設され、また主板部１２の内面には、背板１３に近接してこの背板１３とほぼ平行に延設されたインデックスカードストッパとしての突条１７が設けられ、この突条１７は、背板１３の内面から距離Ｄ２（Ｄ２＞Ｄ１）の位置においてインデックスカード３５の端縁３５ａに対する障壁を形成している。
【０００８】
そして、上蓋１１が閉じられた状態では、上蓋１１の突条１７が下蓋１の端壁３よりも僅かに内側となる位置に来て、上蓋１１の背板１３を含む内面部分が下蓋の端壁３の外側に露出して開口部を形成するようになっている。
【０００９】
したがって、もし上記突条１７が省略されている場合には、上蓋１１の主板部１２の内側に挿入されているインデックスカード３５が輸送時にケース２０内で大きく移動して、紙粉を発生しやすくなり、この紙粉がディスク再生時に悪影響を与えるとともに、場合によっては、インデックスカード３５が上記開口部を通じて脱落する恐れがある。
【００１０】
なお、上蓋主板部１２の内面に形成した上記突条１７に代えて、上蓋１１の両側板１４，１４の内面の対応位置に、インデックスカードストッパとしての突起をそれぞれ形成する場合もある。
【００１１】
ところで、３部品で構成されたケース簿場合には、背ラベル部を備えたインデックスカードがディスクトレーと下蓋との間に挟まれて保持される。しかしながら、図８および図９に示す２部品で構成されたディスク収納ケース２０は、薄型（厚さ４〜７ｍｍ）であるという利点を有するものの、ディスクトレーと下蓋とが一体となった構造のために、下蓋１側にはインデックスカードを入れることが不可能である。
【００１２】
一方、上蓋１１の主板部１２の内面にはインデックスカードストッパとしての突条１７が突設されているために、上蓋１１の背板１３の内側に添わせるべき背ラベル部を備えたインデックスカードを装着することができない。さらに、上蓋１１の背板１３の両端に形成されている取付けリブ１５，１５が、その厚みの分だけ両側板１４，１４の内面を含む面よりも軸線Ｌ方向内方に突出しているので、この取付けリブ１５，１５が、背ラベル部を備えたインデックスカードに干渉してしまう問題もある。
【００１３】
したがって、２部品で構成されたディスク収納ケースのためのインデックスカードは背ラベル部を備えないものに限定せざるを得なかった。このため、ケース２０を積み重ねたり、ラック等に収納したりする場合には、ケース内のディスクの記録内容に関する情報を視認することができず、ディスクの記録内容に関する情報を知るためには、ケース２０を１枚ずつ取り出して確認するという不便さを有するものであった。
【００１４】
そこで、例えば特許文献１には、２部品からなる薄型のケースに対し背ラベル部を備えたインデックスカードの装着を可能にするために、インデックスカードストッパとしての上記突条１７を省いたディスク収納ケースが提案されているが、上述したように、下蓋１の端壁３の外側に、上蓋１１の背板１３を含む内面部分が露出しているので、突条１７を省いた状態で背ラベル部を備えたインデックスカードを上蓋１１に装着すると、インデックスカードの背ラベル部側が露出して、背ラベル部を備えていないインデックスカード以上に脱落しやすくなるという問題がある。
【特許文献１】特開２００２−８００８５号公報
【発明の開示】
【発明が解決しようとする課題】
【００１５】
上述の事情に鑑み、本発明は、インデックスカードストッパとしての突条をケースの上蓋に備えている薄型のディスク収納ケースに対しても、背ラベル部を備えたインデックスカードの装着を可能にしたインデックスカードおよびこのインデックスカードを装着したディスク収納ケースを提供することを目的とするものである。
【００１６】
また本発明は、インデックスカードストッパとしての突条をケースの上蓋に備えていない薄型のディスク収納ケースに対しても、背ラベル部を備えたインデックスカードを脱落の恐れなしに装着することができるインデックスカードおよびこのインデックスカードを装着したディスク収納ケースを提供することを目的とするものである。
【課題を解決するための手段】
【００１７】
本発明によるインデックスカードは、ディスクトレーを兼ねる下蓋と、開閉軸線に沿った背板と該背板に直交する両側板とを備えて上記下蓋にヒンジ部を介して開閉可能に結合された透明な上蓋とからなり、この上蓋の主板部の内面に、上記背板にほぼ平行なインデックスカードストッパとしての突条を背板に近接して備えてなる扁平なディスク収納ケースのためのインデックスカードであって、
上記上蓋の両側板の間に両側縁を着脱可能に保持される態様でこの上蓋の内側に装着される主ラベル部と、この主ラベル部の一端から上記背板の内面に沿ってほぼ直角に折り曲げられる背ラベル部とを備え、上記主ラベル部の背ラベル部に近接した部位に、上記突条に対応する凹条を備えてなることを特徴とするものである。
【００１８】
上記凹条は型押しによって形成されるのが好ましい。
【００１９】
また、ディスク収納ケースのヒンジ部が、上蓋の両側板の内面を含む面よりも開閉軸線方向内方に突出している場合には、背ラベル部の両側縁および主ラベル部の両側縁の背ラベル部側の端部に、上記突出するヒンジ部に対応する切込みを備えていることが好ましい。
【００２０】
上記切込みは、上記突条の両端位置まで延びていることが好ましい。
【００２１】
また、本発明によるインデックスカードは、ディスクトレーを兼ねる下蓋と、開閉軸線に沿った背板と該背板に直交する両側板とを備えて前記下蓋にヒンジ部を介して開閉可能に結合された透明な上蓋とからなり、上記ヒンジ部が、上蓋の両側板の内面を含む面よりも開閉軸線方向内方に突出してなる扁平なディスク収納ケースのためのインデックスカードであって、
上記上蓋の両側板の間に両側縁を着脱可能に保持される態様でこの上蓋の内側に装着される主ラベル部と、この主ラベル部の一端から背板の内面に沿ってほぼ直角に折り曲げられる背ラベル部とを備え、この背ラベル部の両側縁および主ラベル部の両側縁の背ラベル部側の端部に、上記突出したヒンジ部に対応する切込みを備えてなることを特徴とするものである。
【００２２】
ディスク収納ケースが、上蓋の両側板の内面に、インデックスカードストッパとしての突起を備えている場合には、上記切込みが上記突起に対応する位置まで延びていることが好ましい。
【００２３】
さらに本発明のディスク収納ケースは、上述したインデックスカードを備えてなることを特徴とするものである。
【発明の効果】
【００２４】
本発明のインデックスカードによれば、インデックスカードの主ラベル部の背ラベル部に近接した部位に、上蓋の主板部の内面に形成されたインデックスカードストッパとしての突条に対応する凹条を備えていることにより、２部品（上蓋と下蓋）からなりかつ上蓋に上記突条を備えた薄型のディスク収納ケースに対しても、背ラベル部を備えたインデックスカードの装着が可能になり、しかもケース側の突条とカード側の凹条との係合により、インデックスカードのケースからの脱落も防止することができる。
【００２５】
そして、このインデックスカードが、上蓋の両側板の内面を含む面よりも開閉軸線方向内方に突出するケースのヒンジ部に対応する切込みを背ラベル部の両側縁および主板部の両側縁の背ラベル部側の端部に備えている場合には、ケースの上蓋にインデックスカードストッパとしての突条を備えていないケースに装着しても、上記切込みと上記ヒンジ部との係合により、インデックスカードのケースからの脱落も防止することができるから、適用範囲が拡大される。
【００２６】
さらに、上記切込みが上記突条の両端位置まで延びている場合には、上記突条に代えて上蓋の両側板の内面にインデックスカードストッパとしての突起を備えているディスク収納ケースに装着しても、上記切込みと上記突起との係合により、インデックスカードのケースからの脱落も防止することができるから、適用範囲がさらに拡大される。
【００２７】
また、上記凹条を備えておらずに上記切込みのみを備えている背ラベル付きインデックスカードであっても、その切込みが上蓋の両側板の内面を含む面よりも開閉軸線方向内方に突出するケースのヒンジ部に対応するものであれば、インデックスカードストッパとしての突起を備えていないケースに対して適用可能であることは、上述から明らかである。
【００２８】
さらに本発明のディスク収納ケースによれば、上蓋の背板の内面に沿ってほぼ直角に折り曲げられた背ラベル部を備えたインデックスカードが装着されているから、２部品で構成された薄型のケースであっても、積み重ねたり、ラック内に収納したりする場合であっても、背ラベル部によってディスクの記録内容に関する情報を確認することができる。
【発明を実施するための最良の形態】
【００２９】
以下、図面を参照して本発明の実施の形態についた詳細に説明する。
【００３０】
図１（ａ），（ｂ）は、本発明によるインデックスカードの第１の実施の形態を示す底面図および側面図である。
【００３１】
このインデックスカード３０は、図８および図９を参照して説明したディスク収納ケース２０に対し、背ラベル部を備えていないインデックスカード３５に代えて装着することができる構成を有し、保持突起１６によって上蓋１１の両側板１４，１４の間に両側縁３０ｂ，３０ｂを着脱可能に保持される態様でこの上蓋１１の内側に装着される主ラベル部３０ａと、この主ラベル部３０ａの一端から背板１３の内面に沿ってほぼ直角に折り曲げられる背ラベル部３０ｃとを備え、主ラベル部３０ａの背ラベル部３０ｃに近接した部位には、上記突条１７に対応する凹条Ｇが型押しによって形成されている。
【００３２】
また、このディスク収納ケース２０の上蓋１１のヒンジ部における取付けリブ１５，１５が、上蓋１１の両側板１４，１４の内面を含む面よりも厚みの分だけ軸線Ｌ方向内方に突出していることにより、主ラベル部３０ａの両側縁３０ｂ，３０ｂには、それらの背ラベル部３０ｃ側の端部に、上記突出する取付けリブ１５，１５に対応する切込みＲ，Ｒを背ラベル部３０ｃから連続した態様で備えている。
【００３３】
したがって、このインデックスカード３０は、図２の拡大断面図に示すように、その凹条Ｇを突条１７に係合させた態様で、上蓋１１の内面に装着することができる。上記凹条Ｇの断面形状は、図３（ａ）〜（ｃ）に示すように、円弧状の他に、梯形状、あるいは三角形状とすることができる。
【００３４】
なお、上記切込みＲは、取付けリブ１５，１５の長さＤ１（図９）に対応するだけあればこの場合は事足りるが、後述するように、突条１７に代えて上蓋１１の両側板１４，１４の内面にインデックスカードストッパとしての突起１８，１８を備えたディスク収納ケース２２（図７）にも適応可能なように、凹条Ｇを越えた位置までの距離にＤ２（Ｄ２＞Ｄ１）にほぼ等しいことが好ましい。
【００３５】
本実施の形態によれば、インデックスカード３０の主ラベル部３０ａの背ラベル部３０ｃに近接した部位に、上蓋１１の主板部１２の内面に形成されたインデックスカードストッパとしての突条１７に対応する凹条Ｇを備えていることにより、２部品（上蓋１１と下蓋１）からなりかつ上蓋１１に突条１７を備えた薄型のディスク収納ケース２０に対しても、背ラベル部３０ｃを備えたインデックスカード３０の装着が可能になり、しかもケース２０側の突条１７とカード３０側の凹条３１との係合により、インデックスカード３０のケース２０からの脱落も防止することができる。
【００３６】
次の図４（ａ），（ｂ）は、本発明によるインデックスカードの第２の実施の形態を示す平面図および側面図、図５は図４のインデックスカードが装着可能なディスク収納ケースにおける上蓋を開いた状態の平面図である。
【００３７】
図４に示すインデックスカード３２は、図１に示すインデックスカード３０と同様に、両側縁３２ｂ，３２ｂを図５に示すディスク収納ケース２２の上蓋１１に形成されて保持突起１６によって上蓋１１の両側板１４，１４の間に着脱可能に保持される態様でこの上蓋１１の内側に装着される主ラベル部３２ａと、この主ラベル部３２ａの一端から背板１３の内面に沿ってほぼ直角に折り曲げられる背ラベル部３２ｃとを備えているが、凹条Ｇ
は備えておらず、また、ディスク収納ケース２２の上蓋１１のヒンジ部における取付けリブ１５，１５が、上蓋１１の両側板１４，１４の内面を含む面よりも厚みの分だけ軸線Ｌ方向内方に突出していることにより、主ラベル部３２ａの両側縁３２ｂ，３２ｂの背ラベル部３２ｃ側の端部に、上記突出する取付けリブ１５，１５に対応する切込みＲ，Ｒを背ラベル部３２ｃから連続する態様で備えている。
【００３８】
ディスク収納ケース２２は、図８および図９に示すディスク収納ケース２０からインデックスカードストッパとしての突条１７を取り除いたものであるから、同一部分には同一符号を付して、重複する説明は省略すが、取付けリブ１５，１５の長さＤ１に対応して、インデックスカード３２の切込みＲ，Ｒの長さもほぼＤ１に等しくなっている。
【００３９】
このディスク収納ケース２２はインデックスカードストッパを備えていないが、インデックスカード３２の切込みＲ，Ｒがケース２２側の取付けリブ１５，１５に係合してインデックスカード３２のケースからの脱落を防止することができる。
【００４０】
図６（ａ），（ｂ）は、本発明によるインデックスカードの第３の実施の形態を示す平面図および側面図、図７は図４のインデックスカードが装着可能なディスク収納ケースにおける上蓋を開いた状態の平面図である。
【００４１】
図６に示すインデックスカード３３は、図４に示すインデックスカード３１と同様に、凹溝Ｇを備えておらず、両側縁３３ｂ，３３ｂを図７に示すディスク収納ケース２３の上蓋１１に形成されて保持突起１６によって上蓋１１の両側板１４，１４の間に着脱可能に保持される態様でこの上蓋１１の内側に装着される主ラベル部３３ａと、この主ラベル部３３ａの一端から背板１３の内面に沿ってほぼ直角に折り曲げられる背ラベル部３３ｃとを備えている。
【００４２】
図７に示すディスク収納ケース２３は、図８および図９に示すディスク収納ケース２０における突条１７の代わりに、上蓋１１の両側板１４，１４の内面にインデックスカードストッパとしての突起１８，１８を備えた、従来から用いられているディスク収納ケースである。
【００４３】
したがって、図６に示すインデックスカード３３の切込みＲ，Ｒが、突起１８，１８に係合し得る長さＤ２を有しており、これら切込みＲ，Ｒと突起１８，１８との係合により、インデックスカード３３のケース２３からの脱落も防止することができる
以上の説明から、図１に示すインデックスカード３０が、図８および図９に示すケース２０のみでなく、図５および図７に示すケース２２および２３にも装着可能なインデックスカードであることは明らかである。
【００４４】
なお、ディスクトレーと、このディスクトレーを着脱可能に収容固定した下蓋と、この下蓋に開閉可能に軸支された上蓋との３部品で構成された厚さ１０ｍｍのディスク収納ケースでは、背ラベル部を備えた断面Ｌ字状またはコ字状のインデックスカード（下インデックスカード）をディスクトレーと下蓋との間に挟み込むため、下インデックスカードが取出しにくいという問題があったが、本発明のインデックスカード３０，３２，３３では上蓋１１から簡単に取り外すことができ、かつ装着できる利点もある。
【図面の簡単な説明】
【００４５】
【図１】本発明によるインデックスカードの第１の実施の形態を示す底面図および側    面図である。
【図２】図１のインデックスカードの装着状態を示す要部の拡大断面図である。
【図３】図１のインデックスカードの凹条の断面図である。
【図４】本発明によるインデックスカードの第２の実施の形態を示す平面図および側    面図である。
【図５】図４のインデックスカードが装着されるディスク収納ケースの上蓋を開いた状態で示す平面図である。
【図６】本発明によるインデックスカードの第３の実施の形態を示す平面図および側    面図である。
【図７】図６のインデックスカードが装着されるディスク収納ケースの上蓋を開いた状態で示す平面図である。
【図８】２部品で構成された従来のディスク収納ケースにおける上蓋を開いた状態の    斜視図である。
【図９】図８のケースの上蓋の内面にインデックスカードを装着した状態で示す平面図である。
【符号の説明】
【００４６】
１    下蓋
５    下蓋のヒンジアーム
１１    上蓋
１２    上蓋の主板部
１３    上蓋の背板
１４    上蓋の側板
１５    上蓋の取付けリブ
１７    突条
１８    突起
２０，２２，２３    ディスク収納ケース
３０，３２，３３    インデックスカード
３０ａ，３２ａ，３３ａ    インデックスカードの主ラベル部
３０ｃ，３２ｃ，３３ｃ    インデックスカードの背ラベル部
Ｇ    凹条
Ｒ    切込み
Ｌ    軸線
【図１】
2006248603.tif 000003
【図２】
2006248603.tif 000004
【図３】
2006248603.tif 000005
【図４】
2006248603.tif 000006
【図５】
2006248603.tif 000007
【図６】
2006248603.tif 000008
【図７】
2006248603.tif 000009
【図８】
2006248603.tif 000010
【図９】
2006248603.tif 000011